(57)【要約】  【解決手段】  ヘッド本体、ネック、連接部およびホールにより構成される。ヘッド本体の正面には打球するためのフェース板が設けられる。ネックはシャフトと結合するのに用いられる。連接部はフェース板とネックの間に形成される。ホールは連接部の内部に設けられるように構成されている。  【効果】  ホールの設置により連接部が占める重量を減らすことができることにより、ヘッドの重心をトウ部へ移動させることができるため、ゴルフクラブの慣性モーメントを増やすことができる。【選択図】    図１
2005103160.tif 000002
【特許請求の範囲】
【請求項１】
ヘッド本体（１０）、ネック（１３）、連接部（１２）およびホール（１２１）により構成されるゴルフクラブヘッドの構造であって、ヘッド本体（１０）の正面にはフェース板（１１）が設けられ、ネック（１３）はヘッド本体（１０）の一方に設けられ、ネック（１３）によりシャフトと結合することができ、連接部（１２）はフェース板（１１）とネック（１３）の間に形成され、ホール（１２１）は連接部（１２）の内部に設けられ、ホール（１２１）により連接部（１２）が占める重量を減らすことができることにより、ヘッド（１）の重心（１４）を調整することができることを特徴とするゴルフクラブヘッドの構造。
【請求項２】
連接部（１２）のホール（１２１）は各切断面においてそれぞれ同じ厚さの壁を有するように形成されることを特徴とする請求項１記載のゴルフクラブヘッドの構造。
【請求項３】
連接部（１２）のホール（１２１）の内周壁には複数個の環状突出リブ（１２３）が突き出るように設けられることにより、構造の強度を増やすことができることを特徴とする請求項１記載のゴルフクラブヘッドの構造。
【請求項４】
連接部（１２）のホール（１２１）には他に充填材（３）が充填されることにより、打球時に生じた振動を吸収することができることを特徴とする請求項１記載のゴルフクラブヘッドの構造。
【請求項５】
充填材（３）はゴム、ラテックス、発泡材料、液体、ゼラチン、エポキシ樹脂、振動を吸収する能力を有したダンピング材料から選ぶことができることを特徴とする請求項４記載のゴルフクラブヘッドの構造。
【請求項６】
連接部（１２）、ホール（１２１）とネック（１３）は精密鋳造、鍛造、分段接合、一体成形、鋳造、機械加工、圧力鋳造、射出成形の方式によりヘッド（１）に形成されることを特徴とする請求項１記載のゴルフクラブヘッドの構造。
【発明の詳細な説明】
【技術分野】
【０００１】
本発明は、ゴルフクラブヘッドの構造に関するもので、特に連接部の重量を減らすことにより、重心を調整することができるゴルフクラブヘッドの構造に係るものである。
【背景技術】
【０００２】
従来のゴルフクラブヘッドの構造としては、図１１に示すように、金属材質からなるヘッド１が製成され、ヘッド１にはヘッド本体１０が含まれ、ヘッド本体１０にはフェース板１１、連接部１２とネック１３が設けられ、フェース板１１は打球するのに用いられ、連接部１２はフェース板１１とネック１３を連接することができ、ネック１２はシャフト（図示せず）と結合するのに用いられるようにとしたものがある。
【０００３】
また、従来のゴルフクラブヘッドの構造としては、図１２に示すように、ネック１３とヘッド本体１０の間の連接部１２（heel）の下方には凹欠部１０１が形成されるため、ネック１３側の重量を相対的に減らすことができる。そしてヘッド本体１０の重心１４はヘッド本体１０のトウ部（toe）へ移動し（すなわち、連接部１２に対して外への移動）、さらにフェース板１１の打球ゾーンに位置するように形成される。それによりヘッド本体１０の慣性モーメントを相対的に増やすことができるため、打球の性能（打球の飛距離）を増やすことができるようにとしたものがある（例えば、特許文献１を参照）。
【特許文献１】アメリカ特許番号第４，９９５，６０９号
【発明の開示】
【発明が解決しようとする課題】
【０００４】
上記のような従来のゴルフクラブヘッドの構造においては、連接部１２とネック１３が占める重量が大き過ぎるため、ヘッド１の重心１４は連接部１２に近過ぎることにより、フェース板１１の主な打球ゾーンから離れてしまう。その結果、ヘッド本体１０の慣性モーメントは減らされ、さらにヘッド本体１０から球体までの打球応力の移転の効率も減らされるため、ヘッド本体１０の打球の性能に大きな影響を及ぼしてしまうという問題点があった。
【０００５】
また、上記のような従来のゴルフクラブヘッドの構造においては、ヘッド１に凹欠部１０１が設けられて重心１４が外への移動に役立つことができるが、凹欠部１０１により連接部１２の構造の強度が低くなり易くなる。さらに、凹欠部１０１は連接部１２の下方に形成されるため、ヘッド本体１０の下半部の重量を減らしてしまうため、ヘッド本体１０の重心１４が外へ移動すると同時に、上へ移動してしまうため、フェース板１１の主な打球ゾーンに対して重心１４が高くなる。その結果、ヘッド本体１０に凹欠部１０１を設置することにより打球の性能と慣性モーメントの増加に実質に改善することができないだけではなく、反対にヘッド本体１０が断裂したり湾曲して変形してしまうという問題点があった。
【０００６】
さらに、従来のゴルフクラブヘッドの構造に関しては、例えばアメリカ特許番号第５，１８３，２５５号、第５，２３０，５１０号、第５，３２４，０３３号、第５，３７７，９７８号、第５，６０７，３６３号、第５，６２６，５２８号と第５，６４３，１０５号などの発明特許においても、連接部１２またはネック１３の位置に上記凹欠部１０１に類似の構造が形成され、重心を変えることができるが、上記同様に構造の強度が低くなったり、または重心が相対的に上へ移動したりする問題点を存在している。このように、上記のような従来のゴルフクラブヘッドの構造をさらに改良しなければならない。
【０００７】
本発明はこのような問題点に鑑みて発明したものであって、その目的とするところは、ヘッドの連接部にホールを形成させ、連接部のホールにより連接部が占める重量を減らすことができるため、ヘッドの重心をトウ部へ移動させることにより、慣性モーメントを増やすと同時に、ホールには厚さの均一な壁を有するように形成されることにより、トルクに抵抗する構造の強度を強化することができるため、ヘッドの構造の強度に影響を及ぼさない状態でヘッドの慣性モーメント、打球の性能と振動の吸収性をさらに増やすことができるゴルフクラブヘッドの構造を提供しようとするものである。
【０００８】
本発明の第一の目的は、ヘッドの連接部が占める重量を軽く減らすことにより、ヘッドの重心をトウ部へ移動させることにより、ヘッドの慣性モーメントと打球の性能を高めることができるゴルフクラブヘッドの構造を提供しようとするものである。
【０００９】
本発明の第二の目的は、ヘッドの連接部にホールを形成させ、ホールの周囲は厚さの均一な壁により形成されることにより、トルクに抵抗する構造の強度を強化することができるため、構造の強度を強化することができるゴルフクラブヘッドの構造を提供しようとするものである。
【００１０】
本発明の第三の目的は、ヘッドの連接部にホールを形成させ、ホールに軽質な充填材を充填することができることにより、打球時に生じた振動を吸収することができるため、振動の吸収性を高めることができるゴルフクラブヘッドの構造を提供しようとするものである。
【課題を解決するための手段】
【００１１】
上記目的を達成するために、本発明によるゴルフクラブヘッドの構造は、下記のようになるものである。すなわち、
ヘッド本体、ネック、連接部およびホールにより構成される。ヘッド本体の正面にはフェース板が設けられる。ネックはヘッド本体の一方に設けられ、ネックによりシャフトと結合することができる。連接部はフェース板とネックの間に形成される。ホールは連接部の内部に設けられ、ホールにより連接部が占める重量を減らすことができることにより、ヘッドの重心を調整することができる。
【００１２】
本発明によるゴルフクラブヘッドの構造は、連接部のホールは各切断面においてそれぞれ同じ厚さの壁を有するように形成されることもできる。また、連接部のホールの内周壁には複数個の環状突出リブが突き出るように設けられることにより、構造の強度を増やすこともできる。また、連接部のホールには他に充填材が充填されることにより、打球時に生じた振動を吸収することもできる。また、充填材はゴム、ラテックス、発泡材料、液体、ゼラチン、エポキシ樹脂、振動を吸収する能力を有したダンピング材料から選ぶこともできる。また、連接部、ホールとネックは精密鋳造、鍛造、分段接合、一体成形、鋳造、機械加工、圧力鋳造、射出成形の方式によりヘッドに形成されることもできる。
【発明の効果】
【００１３】
本発明のゴルフクラブヘッドの構造によれば、ヘッドの連接部が占める重量を軽く減らすことにより、ヘッドの重心をトウ部へ移動させることにより、ヘッドの慣性モーメントと打球の性能を高めることができるという利点がある。
【００１４】
本発明のゴルフクラブヘッドの構造によれば、ヘッドの連接部にホールを形成させ、ホールの周囲は厚さの均一な壁により形成されることにより、トルクに抵抗する構造の強度を強化することができるため、構造の強度を強化することができるという利点がある。
【００１５】
本発明のゴルフクラブヘッドの構造によれば、ヘッドの連接部にホールを形成させ、ホールに軽質な充填材を充填することができることにより、打球時に生じた振動を吸収することができるため、振動の吸収性を高めることができるという利点がある。
【発明を実施するための最良の形態】
【００１６】
本発明の実施の形態について、以下、図面を参照して説明する。
【００１７】
図１は本発明の実施例１のゴルフクラブヘッドの構造による分解斜視図で、図２は本発明の実施例１のゴルフクラブヘッドの構造による組み立てられた状態の斜視図で、図３は図２のＡ−Ａ線に沿った断面図で、図４は本発明の実施例１のゴルフクラブヘッドの構造によるワックスパターンに形成された状態の正面図で、図５は本発明の実施例１のゴルフクラブヘッドの構造による鋳造の部材の分解斜視図で、図６は本発明の実施例１のゴルフクラブヘッドの構造による鍛造の部材の分解斜視図で、図７は本発明の実施例２のゴルフクラブヘッドの構造による組み立てられた状態の断面図で、図８は本発明の実施例３のゴルフクラブヘッドの構造による組み立てられた状態の断面図で、図９は図８のＢ−Ｂ線に沿った断面図で、図１０は図９のＣ−Ｃ線に沿った断面図である。
【実施例１】
【００１８】
図１、２、３を参照すると、本発明の実施例１のゴルフクラブヘッドの構造のヘッド１は金属、合金材質により製成され、ヘッド１にはヘッド本体１０、フェース板結合部１０２、フェース板１１、連接部１２、ネック１３とホール１２１が含まれる。フェース板結合部１０２はヘッド本体１０の正面に形成され、フェース板結合部は例えば嵌設、圧合、ろう付け、溶接、螺設、一体成形などの方式によりフェース板１１をヘッド本体１０に結合させることができる。フェース板１１は打球するのに用いられることができる。連接部１２はフェース板１１とネック１３の間に連接される。ホール１２１は連接部１２の内部に設けられるため、連接部１２が占める重量を軽く減らすことができ、さらにホール１２１によりヘッド１の重心１４をヘッド本体１０のトウ部へ移動（すなわち、連接部１２に対して外へ移動）させることにより、ヘッド１の慣性モーメントを相対的に増やすことができ、さらにヘッド１の打球の性能（打球飛距離）を有効に高めることができる。ホール１２１には例えば開口部１２２が形成され、開口部１２２によりヘッド本体１０のヒール部に連通することができるため、開放的なホール１２１が形成される。また、ネック１３には結合孔１３１が形成され、結合孔１３１によりシャフト（図示せず）と結合することができる。さらに、ホール１２１はネック１３と隣接する結合孔１３１の底縁端まで延伸するように形成される。
【００１９】
再び図３を参照すると、連接部１２が打球時に生じたトルクＦを受けた時、トルクＦにより連接部１２とネック１３は同時にねじれるように形成される。応力学において、連接１２の切断面の各点は全てトルクＦにより作用力（例えばＦ１、Ｆ２）が生じ、そして連接部１２の幾何中心１２０に対応してモーメントが形成される。連接部１２の外側の点に近ければ近いほど、ますます長いレバー（例えばｒ１、ｒ２）を有するように形成され、そしてますます内側の点はただ極めて短いレバーを有するように形成されるため、実際としてトルクＦの大部分のモーメントは主に連接部１２の最外側の壁に分布される。上記の原理に基づき、本発明の連接部１２の内部には中空のホール１２１が形成されるが、実際としてホール１２１の壁だけで充分な反作用力を有するように形成され、トルクＦのモーメントと完全に相殺することができるため、本発明において連接部１２はやはり最良な構造の強度と鋼性を有するように形成される。また、ホール１２１は各切断面においてそれぞれ均一かつ同じ厚さの壁を有するように形成されることにより、連接部１２によりトルクＦを均一に受けて抵抗することができるため、連接部１２が不均一に力を受けることによってねじれて変形してしまう比率を相対的に低く抑えることができる。
【００２０】
図４、５、６を参照すると、製造上において連接部１２、ホール１２１とネック１３は使用上の需要性に応じて例えば精密鋳造、鍛造、分段接合、一体成形、鋳造、機械加工、圧力鋳造、射出成形の方式によりヘッド本体１０に形成されることができる。図４に示すように、本発明においては先ずワックス離脱法と精密鋳造によりヘッド１の一体成形の構造を製成することができる。先ず、予定されたヘッド１の形状を有するワックスパターン（wax pattern）１’を製作しておき、そしてワックスパターン１’にサンドコア（sand core）２を埋設し、サンドコア２はホール１２１’とフェース板結合部１０２’との補い合う形状を有するため、後続の工程において製造し得たセラミックシェル（ceramic shell図示せず）を直接サンドコア２と結合することができる。これにより、セラミックシェルに溶解した銑鉄を注入してヘッド１の鋳造体を形成した後、セラミックシェルとサンドコア２を打ち破るだけで、製造し得たヘッド１の完成品にはホール１２１とフェース板結合部１０２が形成される。
【００２１】
再び図５を参照すると、本発明においては、先ず精密鋳造の方式によりそれぞれヘッド本体１０、フェース板１１、連接部１２およびネック１３の部材を製造し、このように連接部１２にはホール１２１が簡単に形成される。それから、溶接方式を利用してヘッド本体１０、フェース板１１、連接部１２およびネック１３などの部材を分段接合することにより、ホール１２１を有したヘッド１の完成品を組み立てて製造することができる。
【００２２】
再び図６を参照すると、本発明においては、例えば鍛造方式によりそれぞれヘッド本体１０、フェース板１１、連接部１２およびネック１３の部材を製造し、それから再び溶接方式を利用してヘッド本体１０、フェース板１１、連接部１２およびネック１３などの部材を分段接合する。鍛造時においてヘッド本体１０には好ましくはプレスにより裏蓋を折り曲げて加工するのに対し、フェース板１１、連接部１２およびネック１３は好ましくは同一の鍛造の部材からなり、さらにホール１２１は穴あけ、プレ鋳造の方式により連接部１２とヘッド本体１０（裏蓋）の内部に形成されることができる。
【実施例２】
【００２３】
図７を参照すると、本発明の実施例２のゴルフクラブヘッドの構造が掲示される。実施例１と比較して、実施例２の連接部１２のホール１２１にはさらに充填材３が充填される。これにより、連接部１２の構造の強度およびフェース板１１の打球の応力に影響を及ぼさない状態で、充填材３により連接部１２の抵抗値を相対的に高めることができるため、打球時に生じた振動を吸収することができ、さらに打球時の安定性を高めることができると共に、握り心地もよくなる。充填材３はゴム、ラテックス、発泡材料、液体、ゼラチン、エポキシ樹脂、振動を吸収する能力を有したダンピング材料から選ぶことができる。さらに、ホール１２１に開口部１２２が設けられた時、充填材３をフェース板結合部１０２に形成された凹欠の空間（図示せず）の内部まで充填することができる。
【実施例３】
【００２４】
図８、９、１０を参照すると、本発明の実施例３のゴルフクラブヘッドの構造が掲示される。実施例２と比較して、実施例３の連接部１２のホール１２１の内周壁にはさらに複数個の環状突出リブ１２３が突き出るように設けられる。環状突出リブ１２３の切断面は好ましくは三角形である。これにより、環状突出リブ１２３により連接部１２の構造の強度をさらに強化することができる。また、ホール１２１にも同様に充填材３を充填することができるため、打球時に生じた振動を吸収することができる。
【００２５】
再び図３、７、９を参照すると、本発明の実施例１、２、３の連接部１２のホール１２１は全て使用上の需要性に応じて適当な厚さの壁を選択することができる。これにより、上記壁の厚さが比較的薄く形成された時、ホール１２１には比較的大きい容積を有するように形成されることにより、連接部１２の重量を比較的大量に減らすことができるため、ヘッド１の重心１４がトウ部への移動の量も増加し、さらにヘッド１の慣性モーメントを増やすことができる。それに反して、ヘッド１の重心の調整の需要性が比較的低いため、壁の厚さが比較的厚くなると、ホール１２１には比較的構造の強度が高い壁を獲得することができる。
【産業上の利用可能性】
【００２６】
上述の如く、図１１に示す従来のゴルフクラブヘッドの構造によれば、ヘッド本体の構造の強度に影響を及ぼさない状態で重心の位置をトウ部へ有効に調整することができないという問題点があったが、図１に示す本発明のゴルフクラブヘッドの構造によれば、連接部にホールを形成させることにより、ヘッドの慣性モーメント、打球の性能、振動の吸収性、構造の強度および重心の調整の自由度をさらに増やすことができる。
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本発明の実施例１のゴルフクラブヘッドの構造による分解斜視図である。
【図２】本発明の実施例１のゴルフクラブヘッドの構造による組み立てられた状態の斜視図である。
【図３】図２のＡ−Ａ線に沿った断面図である。
【図４】本発明の実施例１のゴルフクラブヘッドの構造によるワックスパターンに形成された状態の正面図である。
【図５】本発明の実施例１のゴルフクラブヘッドの構造による鋳造の部材の分解斜視図である。
【図６】本発明の実施例１のゴルフクラブヘッドの構造による鍛造の部材の分解斜視図である。
【図７】本発明の実施例２のゴルフクラブヘッドの構造による組み立てられた状態の断面図である。
【図８】本発明の実施例３のゴルフクラブヘッドの構造による組み立てられた状態の断面図である。
【図９】図８のＢ−Ｂ線に沿った断面図である。
【図１０】図９のＣ−Ｃ線に沿った断面図である。
【図１１】従来のゴルフクラブヘッドの構造による正面図である。
【図１２】従来のもう一つのゴルフクラブヘッドの構造による正面図である。
【符号の説明】
【００２９】
１    ヘッド                            １’  ワックスパターン
１０    ヘッド本体                    １０１    凹欠部
１０２    フェース板結合部              １０２’  フェース板結合部
１１    フェース板                      １２    連接部
１２０    幾何中心                      １２１    ホール
１２１’  ホール                        １２２    開口部
１２３    環状突出リブ                    １３    ネック
１３１    結合部                          １４    重心
２    サンドコア                        ３    充填材
【図１】
2005103160.tif 000003
【図２】
2005103160.tif 000004
【図３】
2005103160.tif 000005
【図４】
2005103160.tif 000006
【図５】
2005103160.tif 000007
【図６】
2005103160.tif 000008
【図７】
2005103160.tif 000009
【図８】
2005103160.tif 000010
【図９】
2005103160.tif 000011
【図１０】
2005103160.tif 000012
【図１１】
2005103160.tif 000013
【図１２】
2005103160.tif 000014